(57)【特許請求の範囲】
【請求項１】
浴室の内壁面に上端側が固定され、該内壁面に沿うように配設される管状のシャワー用パイプの内部に、水栓部から供給される湯水をシャワーノズルに向けて供給するシャワー用配管の少なくとも一部が挿設されたシャワー装置において、
前記水栓部に湯水を供給する湯水供給管は、前記浴室の床下側から浴室内に延設されるとともに、前記シャワー用パイプ、前記水栓部及び前記湯水供給管の少なくとも一部は、正面側から見て、上下方向に向けて一直線状に配置されており、
前記湯水供給管は、給水路を介して供給される水と給湯路を介して供給される湯とを混合する湯水混合部を経て供給される湯水を供給する１本の配管にて構成され、前記湯水混合部が、前記浴室の内壁面における前記水栓部よりも下方位置に固設されたカウンタの内部に配設されており、該湯水混合部から延出される湯水供給管は、前記カウンタの上面から上方に向けて延設されていることを特徴とするシャワー装置。
【請求項２】
前記シャワー用パイプの下端側が、前記浴室の内壁面に固設された水栓部に固定されていることを特徴とする請求項１に記載のシャワー装置。
【請求項３】
前記湯水混合部は、前記湯水供給管に供給する湯水の温度調整操作が可能な温度調整操作部を有し、該温度調整操作部が前記カウンタの上面における前記水栓部の近傍位置に配設されていることを特徴とする請求項１または２に記載のシャワー装置。
【請求項４】
前記シャワー用パイプは、前記浴室の内壁面から前方側に所定距離離間した位置に配置されているとともに、前記シャワーノズルに一端が接続されるシャワーホースの他端が、前記シャワー用パイプの上部背面側にて、前記シャワー用配管と接続されていることを特徴とする請求項１ないし３のいずれかに記載のシャワー装置。
【請求項５】
前記水栓部の下方にはカランが配設されているとともに、前記水栓部は、前記湯水供給管から供給される湯水の流路を、前記シャワー用配管側または前記カラン側のいずれかに切換可能に構成されており、前記カランの一端は、前記シャワー用パイプの中心軸の延長線を中心として回動自在に軸支されていることを特徴とする請求項１ないし４のいずれかに記載のシャワー装置。
【発明の詳細な説明】
【技術分野】
【０００１】
本発明は、浴室に設置されるシャワー装置に係わり、特に浴室の内壁面に上端側が固定され、該内壁面に沿うように配設される管状のシャワー用パイプの内部に、水栓部から供給される湯水をシャワーノズルに向けて供給するシャワー用配管の少なくとも一部が挿設されたシャワー装置に関する。
【背景技術】
【０００２】
従来、この種のシャワー装置としては、例えば、浴室のカウンタから上方に向けて立設した１本のパイプ（シャワー用パイプ）に、シャワーノズル用等の通水路が内部に設けられているとともに、湯水混合部、流量調整ハンドル、温度調整ハンドル、カラン等が長手方向の所定箇所にそれぞれ配置されているものがある（例えば、特許文献１参照）。
【０００３】
また、浴室の壁面に設けたカウンタの前面に給水栓を配置するとともに、該カウンタの天面から立設体（シャワー用パイプ）を立設したもの等がある（例えば、特許文献２参照）。
【０００４】
【特許文献１】特開２００３−２９９５８９号公報（第５頁、第１，５図）
【特許文献２】特開２０００−２７３９２４号公報（第３頁、第１図）
【発明の開示】
【発明が解決しようとする課題】
【０００５】
しかしながら、特許文献１に記載のシャワー装置にあっては、湯水混合部を、その長手方向が縦向きとなるように配置するために、給水管及び給湯管が壁面側からそれぞれ配設する必要があり、このために、浴室の壁面と建築物の壁面との間にこれら給水管及び給湯管の配管スペースを確保しなければならないため、浴室内のスペースが狭くなるばかりか、施工性が良くないといった問題があった。
【０００６】
また、特許文献２に記載のシャワー装置あっては、給水栓の設置位置に対して、立設体が側方にずれた位置に設置されているとともに、給水栓の左右側に給水管及び給湯管がそれぞれ接続されることで、上下方向を向く立設体に対して給水栓が左右方向を向いているため、清掃性及び外観体裁がよくないといった問題があった。
【０００７】
本発明は、このような問題点に着目してなされたもので、浴室内のスペースを狭めることなく、かつ、浴室内に配設される配管を、清掃性及び外観体裁を損ねることなく配設することができるシャワー装置を提供することを目的とする。
【課題を解決するための手段】
【０００８】
前記課題を解決するために、本発明の請求項１に記載のシャワー装置は、浴室の内壁面に上端側が固定され、該内壁面に沿うように配設される管状のシャワー用パイプの内部に、水栓部から供給される湯水をシャワーノズルに向けて供給するシャワー用配管の少なくとも一部が挿設されたシャワー装置において、
前記水栓部に湯水を供給する湯水供給管は、前記浴室の床下側から浴室内に延設されるとともに、前記シャワー用パイプ、前記水栓部及び前記湯水供給管の少なくとも一部は、正面側から見て、上下方向に向けて一直線状に配置されており、
前記湯水供給管は、給水路を介して供給される水と給湯路を介して供給される湯とを混合する湯水混合部を経て供給される湯水を供給する１本の配管にて構成され、前記湯水混合部が、前記浴室の内壁面における前記水栓部よりも下方位置に固設されたカウンタの内部に配設されており、該湯水混合部から延出される湯水供給管は、前記カウンタの上面から上方に向けて延設されていることを特徴としている。
この特徴によれば、シャワー用パイプ、水栓部、湯水供給管が正面から見て上下方向に向けて一直線状に配置されていることで、床下側から供給される湯水を、水栓部及びシャワー用パイプの内部に配設されたシャワー用配管を介してシャワーノズルまで効率よく供給することができるばかりか、清掃性及び外観体裁が向上する。また水栓部にて湯水を混合する必要がなく、水栓部の構造が簡素化され、かつ湯水混合部はカウンタの内部に配設されるので、邪魔になることがない。
【０００９】
本発明の請求項２に記載のシャワー装置は、請求項１に記載のシャワー装置であって、
前記シャワー用パイプの下端側が、前記浴室の内壁面に固設された水栓部に固定されていることを特徴としている。
この特徴によれば、シャワー用パイプの下端側を固定するブラケット等を別途設けなくて済むため、部品点数を低減できるばかりか、水栓部からの湯水をシャワー用配管に効率よく供給することができる。
【００１２】
本発明の請求項３に記載のシャワー装置は、請求項１または２に記載のシャワー装置であって、
前記湯水混合部は、前記湯水供給管に供給する湯水の温度調整操作が可能な温度調整操作部を有し、該温度調整操作部が前記カウンタの上面における前記水栓部の近傍位置に配設されていることを特徴としている。
この特徴によれば、水栓部の操作とともに、湯水の温度調整を容易に行うことができる。
【００１３】
本発明の請求項４に記載のシャワー装置は、請求項１ないし３のいずれかに記載のシャワー装置であって、
前記シャワー用パイプは、前記浴室の内壁面から前方側に所定距離離間した位置に配置されているとともに、前記シャワーノズルに一端が接続されるシャワーホースの他端が、前記シャワー用パイプの上部背面側にて、前記シャワー用配管と接続されていることを特徴としている。
この特徴によれば、シャワー用パイプの上部から垂れ下がるシャワーホースの一部がシャワー用パイプの背面側に隠れるため、外観体裁が向上する。
【００１４】
本発明の請求項５に記載のシャワー装置は、請求項１ないし４のいずれかに記載のシャワー装置であって、
前記水栓部の下方にはカランが配設されているとともに、前記水栓部は、前記湯水供給管から供給される湯水の流路を、前記シャワー用配管側または前記カラン側のいずれかに切換可能に構成されており、前記カランの一端は、前記シャワー用パイプの中心軸の延長線を中心として回動自在に軸支されていることを特徴としている。
この特徴によれば、カランの回動軸心が、シャワー用パイプ、水栓部、湯水供給管とともに一直線状に配置されるので、清掃性及び外観体裁が向上する。
【発明を実施するための最良の形態】
【００１５】
本発明に係るシャワー装置を実施するための最良の形態を実施例に基づいて以下に説明する。
【実施例】
【００１６】
本発明の実施例を図面に基づいて説明すると、先ず図１は、浴室の壁面に設置されるシャワーユニットを示す斜視図であり、図２は、シャワーユニットを示す一部縦断側面図であり、図３は、シャワーユニットを示す正面図であり、図４は、カウンタ及び浴槽を示す縦断正面図であり、図５は、シャワー用パイプの内部構造を示す断面斜視図であり、図６は、クリップを示す斜視図であり、図７は、図３におけるシャワーユニットを示すＡ−Ａ要部拡大縦断側面図であり、図８は、図７における上部ブラケットを示すＢ−Ｂ横断平面図であり、図９は、屈曲管を流体管に取り付ける状態を示す縦断側面図であり、図１０は、フランジ部同士をクリップによって固定する状態を示す縦断側面図であり、図１１は、シャワー用パイプが設置された状態を示す縦断側面図である。以下、図２及び図７から図１１の紙面左側をシャワーユニットの正面側とし、図３及び図４の紙面手前側をシャワーユニットの正面側として説明する。
【００１７】
図１の符号１は、本実施例におけるシャワー装置としてのシャワーユニット１であり、このシャワーユニット１は浴室の壁面２に設置されている。このシャワーユニット１は、浴室内の壁面２に固着されたカウンタ３上から壁面２に沿って上方に延びる脚部カバー４を有し、この脚部カバー４の上部には、壁面２から正面側に突設された下部ブラケット５が固定されている。尚、浴室の側周面を構成する壁面２（内壁面）は、浴室が設置される建築物の構造体３２の内面に近接して設けられている（図２参照）。
【００１８】
図１に示すように、下部ブラケット５の上部には、上下方向に延びるシャワー用パイプ６の下端が固定されている。シャワー用パイプ６は、その内部が中空の金属製の管体で構成されており、壁面２から所定距離離間された状態で、壁面２に沿って上下方向に向けて延びている。
【００１９】
シャワー用パイプ６の上端は、壁面２から正面側に向けて突設された上部ブラケット７に固定されている。この上部ブラケット７の下面には、上部ブラケット７から下方に垂れ下がるシャワーホース８が取付金具９を介して取り付けられている。
【００２０】
図２に示すように、シャワーホース８の先端には、ハンドシャワーノズル１０が設けられており、このハンドシャワーノズル１０は、シャワー用パイプ６に取り付けられた支持体１１に設けられたフック１２に着脱自在に支持されている。尚、支持体１１には、グリップ部１３が設けられ、このグリップ部１３を押圧することにより、支持体１１をシャワー用パイプ６に沿って上下方向に移動させて支持体１１の高さ位置を変えることができるようになっているため、シャワーユニット１の使用者は、支持体１１の高さを使い易い位置に変更してシャワーを使用できる。
【００２１】
下部ブラケット５の下面には、水平方向に回動可能なカラン１４が取り付けられている。下部ブラケット５の先端部には、本実施例における水栓部としての切換ハンドル１５が設けられている。脚部カバー４内には、浴室の床下から延設される給水管１６（湯水供給管）が配設されており、この給水管１６から供給された湯水は、切換ハンドル１５が連結された分岐金具１７を介してカラン１４側及びハンドシャワーノズル１０側に供給されるようになっている。
【００２２】
尚、カラン１４の一端は、シャワー用パイプ６の中心軸の延長線を中心として回動自在に軸支されており、そのためカラン１４の回動軸心がシャワー用パイプ６、分岐金具１７、給水管１６とともに一直線状に配置されるので、シャワーユニットの清掃性及び外観体裁が向上するようになっている。
【００２３】
図３に示すように、シャワーユニット１に向かって切換ハンドル１５を左側に回動させると、カラン１４から湯が出るようになっており、切換ハンドル１５を右側に回動させると、ハンドシャワーノズル１０から湯が出るようになっているとともに、この切換ハンドル１５は水栓部も兼用しており、切換ハンドル１５をカラン１４側とハンドシャワーノズル１０側との回動中間位置に配置しているときには、湯水の流出、つまりカラン１４側及びハンドシャワーノズル１０側への湯水の供給を閉止できるようになっている。
【００２４】
図２に示すように、カウンタ３は箱体を成しており、このカウンタ３は浴室の床面を構成する床面防水パン３３よりも上方の所定の高さ位置の壁面２に、取付ブラケット３４（図４参照）を介して取り付けられている。また、カウンタ３の正面側には左右一対の枢軸部材３５を介して上下方向に回動可能に設けられたフラップカウンタ３６が設けられている。更に、カウンタ３の側面は、浴槽３７の側面側に設けられたエプロン３８に固着されており、浴槽３７の下方には浴槽用防水パン３９が設置されている。
【００２５】
図４に示すように、カウンタ３の内部には、シャワーユニット１から垂下された給水管１６が延設されており、給水管１６は温度調節ユニット４０（湯水混合部）に接続されている。この温度調節ユニット４０には、水を供給する給水管４１（給水路）と、温度の高い湯を供給する給湯管４２（給湯路）が接続されており、温度調節ユニット４０内部で水と湯とが混合されることにより、所定の温度の湯が給水管１６を介してシャワーユニット１に供給できるようになっている。このように分岐金具１７にて湯水を混合する必要がなく、分岐金具１７の構造が簡素化されるので、清掃性及び外観体裁がより向上する。
【００２６】
尚、給水管４１及び給湯管４２は、図示しない湯水供給源から浴室の床下（床面防水パン３３及び浴槽用防水パン３９の下方）まで配管された後、浴槽用防水パン３９を介して浴室内部（浴槽３７とエプロン３８との間）まで延設され、更にエプロン３８を介してカウンタ３内部にまで延設されている。このように、給水管４１及び給湯管４２は、前述した構造体３２の内面と、浴室の壁面２を構成する壁パネルの外面との間に配管されることなく、浴室の床下から浴室内に向けて延設されている。
【００２７】
また、図１に示すように、カウンタ３の上面におけるシャワーユニット１から所定距離離れた位置には、カウンタ３の内部に配置された温度調節ユニット４０に連結された温度調節ハンドル１８（温度調整操作部）が設けられており、使用者は、温度調節ハンドル１８を回動させることで、給水管１６から供給される湯の温度を調節できるようになっている。尚、温度調節ユニット４０をカウンタ３の上面に設けることで、温度調節ハンドル１８が切換ハンドル１５の近傍位置に配置されるようになり、切換ハンドル１５の操作とともに、湯水の温度調整を容易に行うことができるようになる。
【００２８】
このように切換ハンドル１５と温度調節ハンドル１８とが、所定距離離間されて配置されていることにより、使用者が切換ハンドル１５と温度調節ハンドル１８を取り違えて操作してしまうミスを防ぐことができる。尚、使用者がシャワーユニット１を使用中に頻繁に操作する頻度が多い切換ハンドル１５を下部ブラケット５に設けていることで、シャワーユニット１の使い勝手が向上している。
【００２９】
尚、カウンタ３内部に温度調節ユニット４０を配置することにより、温度調節ユニット４０を分岐金具１７の近傍に配置できるので、温度調節ユニット４０にて混合された湯水を極力冷やすことなく、分岐金具１７に供給することができるばかりか、温度調節ユニット４０がカウンタ３の内部に配設されるので、邪魔になることがない。
【００３０】
尚、特に図示はしないが、浴槽３７の内面側には、浴槽３７内部に湯を供給する給湯口（図示略）が設けられており、この給湯口（図示略）に接続される給水管（図示略）が温度調節ユニット４０に接続されている。温度調節ユニット４０が浴槽３７をシャワーユニット１との間の中間位置に配置することで、浴槽３７及びシャワーユニット１に延設される給水管１６等の配管の長さを極力短くすることができる。
【００３１】
図３に示すように、このシャワーユニット１に設けられたカラン１４、切換ハンドル１５、ハンドシャワーノズル１０、フック１２、上部ブラケット７及び下部ブラケット５が、正面視で上下方向に延びる一直線状に配置されており、シャワーユニット１の美観が向上するようになっている。
【００３２】
また、シャワーユニット１の各々の部材が一直線上に配置されていることにより、シャワーユニット１に付着した水滴等が、上下方向に沿ってスムーズに流れ落ちるようになり、シャワーユニット１の清掃性が向上する。更に、シャワーユニット１の横幅を極力短くすることができ、狭い浴室であっても設置することができる。
【００３３】
更に、図２に示すように、シャワーホース８の取付金具９は、上部ブラケット７の下面におけるシャワー用パイプ６と壁面２との中間位置に取り付けられており、シャワーホース８がシャワー用パイプ６の背面側に沿って垂れ下がっている。そのため図３に示すように、シャワーユニット１を正面側から見たときに、シャワーホース８の一部がシャワー用パイプ６の背面側に隠れるようになり、シャワーユニット１が上下方向に延びる一直線上に配置された一体感を有するデザインとなり、使用者側からシャワーホース８が見えにくくなるので、シャワーユニット１の外観体裁が向上する。
【００３４】
尚、シャワーユニット１を上下方向に延びる一直線上に配置することで、床下から立ち上げた給水管１６やシャワー用配管１９の長さを極力短く配管することができ、シャワーユニット１の設置が容易となるとともに、給水管１６やシャワー用配管１９の内部を流れる湯の温度低下を極力抑えることができる。
【００３５】
更に、従来のように、壁面２と構造体３２との間の間隙に給水管１６やシャワー用配管１９などの配管を配設する場合と比べて、本実施例のシャワーユニット１では、全ての配管が壁面２の内側（浴室内側）に配設されるので、壁面２と構造体３２との間の狭い間隙に配管を配設する必要がない。その分、壁面２を構造体３２に近接若しくは密着させ、浴室の内部スペースを広くすることができる。
【００３６】
図２に示すように、シャワー用パイプ６の内部には、銅など金属製の材質で構成されたシャワー用配管１９が、分岐金具１７の上端に接続されて、分岐金具１７から上方に延びるように設けられている。更に、シャワー用配管１９の上端には、側面視で略Ｕ字形状になるように屈曲された接続管としての屈曲管２０の一端（前端）が嵌合され、屈曲管２０がシャワー用配管１９に対して回動可能に連結されている。そのためシャワー用配管１９の下端をナット等により固定した後でも、屈曲管２０を所定方向に向けることができる。屈曲管２０の他端（後端）には、前述したシャワーホース８の取付金具９が螺合されて接続されている。よって、シャワー用配管１９に供給された湯は、シャワー用配管１９内部を上昇し、屈曲管２０を介してシャワーホース８に供給され、ハンドシャワーノズル１０から吐出されるようになっている。
【００３７】
また、シャワー用パイプ６の内径よりもシャワー用配管１９の外径は小さく形成され、シャワー用パイプ６の内面とシャワー用配管１９の外面との間に所定の間隙が形成されており、この間隙には、振動吸収材としての管状のスポンジ状部材２１が充填されている。
【００３８】
図５に示すように、このスポンジ状部材２１は、シャワー用配管１９の外周全体を囲繞するように環装されており、スポンジ状部材２１の外周面はシャワー用パイプ６の内周面に当接されていることにより、このスポンジ状部材２１を介して、上下端が固定されたシャワー用配管１９の中央部が、振動によりシャワー用パイプ６の内部で撓まないように支持されている。
【００３９】
更に、スポンジ状部材２１は、微小な孔部が多数設けられた多孔性を有するウレタン等の材質で形成されており、シャワー用パイプ６やシャワー用配管１９の形状に合わせて容易に加工ができるようになっている。また、内部に微小な孔部が多数設けることで、スポンジ状部材２１は、断熱性を有するとともに、振動を吸収する緩衝性を有している。
【００４０】
図２に示すように、スポンジ状部材２１は、シャワー用配管１９の長手方向の全長に渡って連続的に設けられている。尚、本実施例ではスポンジ状部材２１をシャワー用配管１９の長手方向の全長に渡って設けているが、シャワー用配管１９における分岐金具１７の近傍の位置、若しくはシャワー用配管１９における中央部（腹部）などのシャワー用配管１９の長手方向における少なくとも一部に設けてもよいし、長手方向の複数箇所に部分的に設けてもよい。
【００４１】
従来のシャワー用パイプ６にあっては、使用時において、切換ハンドル１５を閉止位置にしてハンドシャワーノズル１０若しくはカラン１４からの湯の流出を急に止めたときに、給水管１６内部の湯（流体）が瞬間的に停止させられることによって、水栓部よりも上流側の給水管１６内の水圧が急激に上昇されて衝撃波が発生し、この衝撃波の振動が給水管１６に接続された分岐金具１７を通じて、水栓部よりも下流側のシャワー用配管１９に伝わり、振動がシャワー用配管１９によって増幅されて大きな音となって浴室内に響いてしまうウォーターハンマー音（水撃音）が発生したり、ウォーターハンマー音による振動によって、シャワー用配管１９がシャワー用パイプ６の内面にぶつかって不快な接触音がすることもあった。
【００４２】
しかしながら本実施例におけるシャワーユニット１にあっては、シャワー用パイプ６とシャワー用配管１９との間に、シャワー用配管１９の外周に環装された環状のスポンジ状部材２１が設けられているため、切換ハンドル１５を閉鎖した時に、分岐金具１７から上流側に位置するシャワー用配管１９内で発生する衝撃波の振動が、分岐金具１７の下流側のシャワー用配管１９に伝わってシャワー用配管１９が振動しても、シャワー用配管１９の振動がスポンジ状部材２１にて効果的に吸収されるようになるので、ウォーターハンマー音の増幅が抑えられるようになり、浴室内にウォーターハンマー音が響かなくなる。また、シャワー用配管１９がシャワー用パイプ６の内面にぶつかることも防止できるので、不快な接触音もしなくなる。
【００４３】
更に、シャワー用配管１９の長手方向の全長に渡って、該シャワー用配管１９の外周がスポンジ状部材２１により覆われており、かつスポンジ状部材２１の外周面がシャワー用パイプ６の内面に当接して支持されているので、分岐金具１７からシャワー用配管１９に振動が伝わっても、振動がシャワー用配管１９を伝わって行く途中で消滅するようになり、ウォーターハンマー音の発生を抑えることができる。
【００４４】
また、スポンジ状部材２１が断熱性を有することで、シャワー用配管１９の熱がシャワー用パイプ６に伝わり難くなっており、シャワー用配管１９内部を流れる湯の保温性を高めることができる。例えば、ハンドシャワーノズル１０から湯を吐出させ、その湯の吐出を一時的に停止しても、シャワー用配管１９内部の湯が冷めにくいので、ハンドシャワーノズル１０から湯を吐出し始めたときに、シャワー用配管１９内部に残留している冷めた湯が出てくることを防止できる。また、冬場などにおいて、浴室の未使用時に、シャワー用配管１９内部の水が冷えることによってシャワー用パイプ６の外面に結露が発生することも防止できる。
【００４５】
更に、シャワー用パイプ６、分岐金具１７、給水管１６が正面から見て上下方向に向けて一直線状に配置されていることで、床下側から供給される湯水を、分岐金具１７及びシャワー用パイプ６の内部に配設されたシャワー用配管１９を介してハンドシャワーノズル１０まで効率よく供給することができるばかりか、清掃性及び外観体裁が向上する。尚、シャワー用パイプ６の下端側を固定するブラケット等を別途設けなくて済むため、部品点数を低減できるばかりか、分岐金具１７からの湯水をシャワー用配管１９に効率よく供給することができる。
【００４６】
次に、シャワー用パイプ６と屈曲管２０との取付構造について詳述する。図２に示すように、シャワー用パイプ６の上端を固定する上部ブラケット７は、側面視で矩形状の箱体を成し、壁面２にネジ（図示略）等を用いて固着されるブラケット本体２２と、このブラケット本体２２を正面側から覆うように取り付けられるカバー体２３とで構成されている（図１０参照）。
【００４７】
図７に示すように、上部ブラケット７の内部には、屈曲管２０が配置されており、この屈曲管２０は、Ｌ字形状に屈曲されたＬ字取付部２４を有し、このＬ字取付部２４の下端（接続端部）の外周面には、外向きに拡径する環状のフランジ部２４ａが形成されているとともに、Ｌ字取付部２４の他端側は壁面２側に向かって延設されている。
【００４８】
更に、Ｌ字取付部２４は、図１１に示すように、銅管２５を介してシャワーホース８の取付金具９が螺合される雄ネジ部２６ａと、後述する孔部２２ｂの周縁に係合できる係合片２６ｂとが形成されたホース取付部２６と連結されている（図１１参照）。尚、Ｌ字取付部２４、銅管２５及びホース取付部２６は、各々が溶接によって連結されており、そのため別途、ネジやボルト等を用いずに連結できるので屈曲管２０全体の寸法が小さく形成されている。
【００４９】
また、シャワー用パイプ６の上端には、上端取付部２７が溶接によって固着されており、この上端取付部２７（接続端部）の外周面には、Ｌ字取付部２４に形成されたフランジ部２４ａと同一寸法の外向きに拡径する環状のフランジ部２７ａが形成されている。更に、上端取付部２７には、上方に突出する差込部２７ｂが形成され、この差込部２７ｂはＬ字取付部２４内に挿設されるようになっている。尚、差込部２７ｂの外周面には、ゴム等の材質で形成されたパッキンリング２８が設けられている。
【００５０】
更に、図９に示すように、ブラケット本体２２の下面には、シャワー用パイプ６の上端が挿設される支持部としての孔部２２ａが形成されるとともに、屈曲管２０の雄ネジ部２６ａが挿設される貫通穴としての孔部２２ｂが形成されている。
【００５１】
図７及ぶ図８に示すように、シャワー用配管１９の上端取付部２７に形成されたフランジ部２７ａと屈曲管２０のＬ字取付部２４に形成されたフランジ部２４ａとが互いに当接されるようになっており、この当接し合うフランジ部２４ａ，２７ａ同士の外周に、連結部材としてのクリップ２９が取り付けられている。
【００５２】
図６に示すように、クリップ２９は、弾力性を有する一枚の帯状の金属板材が平面視環状に折り曲げられて形成された略円筒形状を成し、その円周の一部が切り欠かれて開口部３０が形成されている。また、開口部３０から外方に拡開された当接片２９ａが形成されている。更に、クリップ２９の側面には、重なったフランジ部２４ａ，２７ａ同士の上下幅とほぼ同寸法の上下幅を有する挟持部としての長穴２９ｂが形成されている。
【００５３】
次に、シャワー用パイプ６の設置作業について詳述する。シャワー用パイプ６を設置する際には、先ず図９に示すように、下部ブラケット５に下端を固定されたシャワー用パイプ６の上端に、ブラケット本体２２の孔部２２ａを嵌合させ、ブラケット本体２２を壁面２にネジ（図示略）にて固着する。
【００５４】
また、ブラケット本体２２の孔部２２ｂには、上方から屈曲管２０の雄ネジ部２６ａが嵌合され、かつ係合片２６ｂが孔部２２ｂの周縁に係合されて、下方側からナット３１が雄ネジ部２６ａに螺合されることで、屈曲管２０がブラケット本体２２の孔部２２ｂに移動不能に固定される（図１０参照）。そのため後述するように、シャワー用配管１９と屈曲管２０の各々の端部に形成された互いのフランジ部２４ａ，２７ａ同士をクリップ２９で留めるときに、屈曲管２０の屈曲方向が前後方向を向くようになり、屈曲管２０の位置決めがし易くなっている。
【００５５】
更に、屈曲管２０のＬ字取付部２４には、シャワー用配管１９の差込部２７ｂが挿設され、屈曲管２０及びシャワー用配管１９の各々の端部に設けられたフランジ部２４ａ，２７ａ同士が当接される。
【００５６】
図１０に示すように、正面側からフランジ部２４ａ，２７ａに向けて水平方向（フランジ部２４ａ，２７ａ同士の径方向）にクリップ２９を押圧しながら嵌め込むと、クリップ２９の当接片２９ａがフランジ部２４ａ，２７ａに当接され、クリップ２９の開口部３０が側方側に広がるように拡開される。そして更にクリップ２９を押し込むと、弾性復帰力にて開口部３０が狭まり、重なったフランジ部２４ａ，２７ａがクリップ２９の長穴２９ｂに挿入されるとともに、クリップ２９が配管周りに装着される（図８参照）。
【００５７】
図７及び図８に示すように、クリップ２９は、屈曲管２０のＬ字取付部２４及びシャワー用配管１９の上端取付部２７の外周を囲むように配置され、フランジ部２４ａ，２７ａ同士が長穴２９ｂに挿設されることで、クリップ２９がフランジ部２４ａ，２７ａ同士が離間（離脱）不能に挟持される。尚、差込部２７ｂにパッキンリング２８が設けられていることで、差込部２７ｂがＬ字取付部２４に挿設されたときに、シャワー用配管１９及び屈曲管２０が液密に連結される。
【００５８】
そして、図１０に示すように、ブラケット本体２２に、カバー体２３を取り付けてネジ（図示略）等で固着させる。屈曲管２０に設けられた雄ネジ部２６ａには、下方からシャワーホース８の取付金具９が螺合される。図１１に示すように、屈曲管２０の寸法が小さく形成されていることにより上部ブラケット７の寸法も小さく形成できるようになり、シャワーユニット１の見栄えが向上するようになっている。
【００５９】
以上、本実施例のシャワー装置１にあっては、シャワー用配管１９と屈曲管２０の各々の端部に形成された互いのフランジ部２４ａ，２７ａを、クリップ２９によって留めることで、別途、接続作業用の工具などを使うことなくシャワー用配管１９と屈曲管２０との接続が容易に行えるようになり、かつ上下方向に延びるシャワー用パイプ６に対して正面側から水平方向にクリップ２９を挿設できるので、比較的高所にて行われるシャワー用パイプ６の上端を壁面２に固定する作業が容易になり、作業者の負担も軽減される。
【００６０】
また、クリップ２９が略円筒形状を成し、その側面にフランジ部２４ａ，２７ａ同士が挿通される長穴２９ｂが形成されていることで、簡素な構成でフランジ部２４ａ，２７ａ同士を挟持できるクリップ２９を製造することができ、クリップ２９の製造コストを低減できる。更に、略円筒形状のクリップ２９の円周の一部を切り欠いて開口部３０を形成することで、クリップ２９が径方向に拡径できるようになり、クリップ２９をフランジ部２４ａ，２７ａ同士に取り付け易くなっている。
【００６１】
また、ブラケット本体２２の下面に、屈曲管２０の雄ネジ部２６ａが挿設される固定部としての孔部２２ｂが形成され、かつこの孔部２２ｂの周縁を屈曲管２０の係合片２６ｂとナット３１によって上下方向から挟持することで、屈曲管２０がブラケット本体２２に固着される。そのためシャワーホース８やハンドシャワーノズル１０の荷重や、使用時においてシャワーホース８の捩れ等の負荷が屈曲管２０に加わっても、その荷重や負荷をブラケット本体２２で支持することができ、クリップ２９によって接合されたフランジ部２４ａ，２７ａに荷重や負荷が加わらないようになる。このようにすれば、シャワーユニット１の使用中に屈曲管２０ががたつくことがなくなり、長年使用してもシャワー用配管１９と屈曲管２０との連結部に緩みが生じて湯水が漏洩することを防止できる。
【００６２】
以上、本発明の実施例を図面により説明してきたが、具体的な構成はこれら実施例に限られるものではなく、本発明の要旨を逸脱しない範囲における変更や追加があっても本発明に含まれる。
【００６３】
例えば、前記実施例では、振動吸収材としてのスポンジ状部材２１が、浴室に設置され、内部にシャワー用配管１９が挿通されたシャワー用パイプ６に適用されていたが、本発明はシャワー用パイプ６に限定されるものではなく、内部にシャワー用配管が挿設された管体ならば、建築物の壁面内や床下や天井裏などに配置される配管にも適用でき、これらの配管で発生するウォーターハンマー音（水撃音）を低減させることができる。
【００６４】
また、前記実施例では、連結部材としてのクリップ２９が、シャワー用パイプ６内部に挿設されたシャワー用配管１９と、その上端に接続される屈曲管２０とを接合させるために用いられているが、本発明はシャワー用パイプ６の屈曲管２０との接合に限らず、シャワー用パイプ６と分岐金具１７とを接合する際に、シャワー用パイプ６の下端と分岐金具１７の上端にフランジ部を形成しておき、互いのフランジ部を挟持するためにクリップ２９を用いてもよいし、その他の構成の管体の接合に用いてもよい。
【００６５】
更に、前記実施例では、連結部材としてのクリップ２９が、その側面にフランジ部２４ａ，２７ａが挿設される長穴２９ｂが形成された略円筒形状を成していたが、本発明は円筒形状のクリップ２９に限定されるものではなく、例えば、側面視で略コ字形状を成す連結部材をフランジ部２４ａ，２７ａに複数取り付け、フランジ部２４ａ，２７ａ同士を離間不能に挟持して接合させてもよいし、屈曲管２０若しくはシャワー用配管１９のいずれの部材も回動（螺合）させないで接合できるならば、その他の形状の連結部材であっても本発明と同様の効果を得ることができる。
【００６６】
更に、前記実施例では、シャワー用パイプ６が壁面２に沿って上下方向に延びるように設置されていたが、シャワー用パイプ６は壁面２に沿って左右方向や斜め方向に延びるように設置されてもよい。
【図面の簡単な説明】
【００６７】
【図１】浴室の壁面に設置されるシャワーユニットを示す斜視図である。
【図２】シャワーユニットを示す一部縦断側面図である。
【図３】シャワーユニットを示す正面図である。
【図４】カウンタ及び浴槽を示す縦断正面図である。
【図５】シャワー用パイプの内部構造を示す断面斜視図である。
【図６】クリップを示す斜視図である。
【図７】図３におけるシャワーユニットを示すＡ−Ａ要部拡大縦断側面図である。
【図８】図７における上部ブラケットを示すＢ−Ｂ横断平面図である。
【図９】屈曲管を流体管に取り付ける状態を示す縦断側面図である。
【図１０】フランジ部同士をクリップによって固定する状態を示す縦断側面図である。
【図１１】シャワー用パイプが設置された状態を示す縦断側面図である。
【符号の説明】
【００６８】
１                シャワーユニット（シャワー装置）
２                壁面（内壁面）
３                カウンタ
４                脚部カバー
５                下部ブラケット
６                シャワー用パイプ
７                上部ブラケット
８                シャワーホース
９                取付金具
１０              ハンドシャワーノズル
１１              支持体
１２              フック
１３              グリップ部
１４              カラン
１５              切換ハンドル（水栓部）
１６              給水管（湯水供給管）
１７              分岐金具（水栓部）
１８              温度調節ハンドル（温度調整操作部）
１９              シャワー用配管
２０              屈曲管（接続管）
２１              スポンジ状部材（振動吸収材）
２２              ブラケット本体
２２ａ            孔部（支持部）
２２ｂ            孔部（貫通穴）
２３              カバー体
２４              Ｌ字取付部
２４ａ            フランジ部
２５              銅管
２６              ホース取付部
２６ａ            雄ネジ部
２６ｂ            係合片
２７              上端取付部
２７ａ            フランジ部
２７ｂ            差込部
２８              パッキンリング
２９              クリップ（連結部材）
２９ａ            当接片
２９ｂ            長穴（挟持部）
３０              開口部
３１              ナット
３２              構造体
３３              床面防水パン
３４              取付ブラケット
３５              枢軸部材
３６              フラップカウンタ
３７              浴槽
３８              エプロン
３９              浴槽用防水パン
４０              温度調節ユニット（湯水混合部）
４１              給水管（給水路）
４２              給湯管（給湯路）
【図１】
0004755494.tif 000002
【図２】
0004755494.tif 000003
【図３】
0004755494.tif 000004
【図４】
0004755494.tif 000005
【図５】
0004755494.tif 000006
【図６】
0004755494.tif 000007
【図７】
0004755494.tif 000008
【図８】
0004755494.tif 000009
【図９】
0004755494.tif 000010
【図１０】
0004755494.tif 000011
【図１１】
0004755494.tif 000012